【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
光源からの光束を偏向して被走査面における走査領域を主走査方向に走査する偏向器と、該偏向器により偏向された光束を前記走査領域に集光する結像光学系とを備える光走査装置であって、
前記結像光学系は、第１の結像光学素子と、該第１の結像光学素子よりも前記被走査面の側に配置された第２の結像光学素子とを有し、
主走査断面内において、前記偏向器により偏向された光束のうち前記走査領域に直交する主光線を基準線とし、前記走査領域の主走査方向における前記光源と同じ側の第１端部及び前記光源とは反対側の第２端部の夫々に入射する主光線と前記基準線とのなす角度（ｄｅｇ）を各々θｕ及びθｌ、前記第１端部及び前記第２端部と前記基準線との距離（ｍｍ）を各々Ｌｄｕ及びＬｄｌ、前記第１の結像光学素子の主走査方向における前記光源と同じ側の端部及び前記光源とは反対側の端部と前記基準線との距離（ｍｍ）を各々Ｌ１ｕ及びＬ１ｌ、前記第２の結像光学素子の主走査方向における前記光源と同じ側の端部及び前記光源とは反対側の端部と前記基準線との距離（ｍｍ）を各々Ｌ２ｕ及びＬ２ｌとするとき、
θｌ＜θｕ
Ｌｄｌ＜Ｌｄｕ
０．９≦Ｌ１ｕ／Ｌ１ｌ≦１．１
Ｌ１ｌ≦Ｌ２ｌ＜Ｌ２ｕ
なる条件を満たすことを特徴とする光走査装置。
【請求項２】
１．１＜Ｌ２ｕ／Ｌ２ｌ
なる条件を満たすことを特徴とする請求項１に記載の光走査装置。
【請求項３】
前記偏向器は、第１及び第２の偏向面により複数の光束を偏向して複数の被走査面を走査することを特徴とする請求項１または２に記載の光走査装置。
【請求項４】
前記偏向器は、第１及び第２の光束を前記第１の偏向面により偏向して第１及び第２の被走査面を走査し、第３及び第４の光束を前記第２の偏向面により偏向して第３及び第４の被走査面を走査することを特徴とする請求項３に記載の光走査装置。
【請求項５】
前記第２の結像光学素子は、前記第１乃至第４の光束の夫々の光路に設けられていることを特徴とする請求項４に記載の光走査装置。
【請求項６】
前記第１の結像光学素子は前記第１及び第２の偏向面の夫々と対向するように設けられ、前記第１及び第２の光束は前記第１の偏向面と対向する前記第１の結像光学素子に入射し、前記第３及び第４の光束は前記第２の偏向面と対向する前記第１の結像光学素子に入射することを特徴とする請求項４又は５に記載の光走査装置。
【請求項７】
副走査方向から見たとき、前記第１の偏向面に入射する前記第１及び第２の光束と前記第２の偏向面に入射する前記第３及び第４の光束とは互いに平行であることを特徴とする請求項４乃至６の何れか一項に記載の光走査装置。
【請求項８】
副走査方向から見たとき、前記第１の偏向面に入射する前記第１及び第２の光束が互いに重なり、前記第２の偏向面に入射する前記第３及び第４の光束が互いに重なることを特徴とする請求項４乃至７の何れか一項に記載の光走査装置。
【請求項９】
前記第２の結像光学素子は、樹脂で構成されていることを特徴とする請求項１乃至８の何れか一項に記載の光走査装置。
【請求項１０】
前記第２の結像光学素子のゲート部は、前記基準線に対して前記光源とは反対側に配置されていることを特徴とする請求項９に記載の光走査装置。
【請求項１１】
前記第１の結像光学素子は、ガラスで構成されていることを特徴とする請求項９又は１０に記載の光走査装置。
【請求項１２】
前記第１の結像光学素子は、樹脂で構成されていることを特徴とする請求項９又は１０に記載の光走査装置。
【請求項１３】
前記第１の結像光学素子のゲート部は、前記基準線に対して前記光源とは反対側に配置されていることを特徴とする請求項１２に記載の光走査装置。
【請求項１４】
前記第１の結像光学素子のゲート部は、前記基準線に対して前記光源と同じ側に配置されていることを特徴とする請求項１２に記載の光走査装置。
【請求項１５】
前記第１の結像光学素子の主走査断面内におけるパワーは、前記第２の結像光学素子の主走査断面内におけるパワーよりも大きいことを特徴とする請求項１乃至１４の何れか一項に記載の光走査装置。
【請求項１６】
請求項１乃至１５の何れか一項に記載の光走査装置と、該光走査装置により前記被走査面に形成される静電潜像をトナー像として現像する現像器と、現像された前記トナー像を被転写材に転写する転写器と、転写された前記トナー像を前記被転写材に定着させる定着器とを備えることを特徴とする画像形成装置。
【請求項１７】
請求項１乃至１５の何れか一項に記載の光走査装置と、外部機器から出力された色信号を画像データに変換して前記光走査装置に入力するプリンタコントローラとを備えることを特徴とする画像形成装置。
【手続補正２】
【補正対象書類名】明細書
【補正対象項目名】００１１
【補正方法】変更
【補正の内容】
【００１１】
上記目的を達成するために、本発明に係る光走査装置は、光源からの光束を偏向して被走査面における走査領域を主走査方向に走査する偏向器と、該偏向器により偏向された光束を前記走査領域に集光する結像光学系とを備える光走査装置であって、
前記結像光学系は、第１の結像光学素子と、該第１の結像光学素子よりも前記被走査面の側に配置された第２の結像光学素子とを有し、
主走査断面内において、前記偏向器により偏向された光束のうち前記走査領域に直交する主光線を基準線とし、前記走査領域の主走査方向における前記光源と同じ側の第１端部及び前記光源とは反対側の第２端部の夫々に入射する主光線と前記基準線とのなす角度（ｄｅｇ）を各々θｕ及びθｌ、前記第１端部及び前記第２端部と前記基準線との距離（ｍｍ）を各々Ｌｄｕ及びＬｄｌ、前記第１の結像光学素子の主走査方向における前記光源と同じ側の端部及び前記光源とは反対側の端部と前記基準線との距離（ｍｍ）を各々Ｌ１ｕ及びＬ１ｌ、前記第２の結像光学素子の主走査方向における前記光源と同じ側の端部及び前記光源とは反対側の端部と前記基準線との距離（ｍｍ）を各々Ｌ２ｕ及びＬ２ｌとするとき、
θｌ＜θｕ
Ｌｄｌ＜Ｌｄｕ
０．９≦Ｌ１ｕ／Ｌ１ｌ≦１．１
Ｌ１ｌ≦Ｌ２ｌ＜Ｌ２ｕ
なる条件を満たすことを特徴としている。
【手続補正３】
【補正対象書類名】明細書
【補正対象項目名】００２４
【補正方法】変更
【補正の内容】
【００２４】
主走査断面内では、それぞれが光束を偏向器に入射させる光軸が互いに平行な複数の入射光学系が配置されている（図１（ａ））。また、図３に示すとおり、副走査方向においても複数の入射光学系が配置されている。即ち、第１及び第２の光束を偏向器の第１の偏向面に入射させる二つの入射光学系と、第３及び第４の光束を偏向器の第２の偏向面に入射させる二つの入射光学系とが配置されている。
【手続補正４】
【補正対象書類名】明細書
【補正対象項目名】００２５
【補正方法】変更
【補正の内容】
【００２５】
副走査方向から見たとき、第１及び第２の光束を偏向器に入射させる二つの入射光学系の光軸が互いに重なり、第３及び第４の光束を偏向器に入射させる二つの入射光学系の光軸が互いに重なる。
【手続補正５】
【補正対象書類名】明細書
【補正対象項目名】００４４
【補正方法】変更
【補正の内容】
【００４４】
このように、同一偏向面で偏向された複数の光束が、走査光学系において折り返しミラー等で分離され、各々対応する被走査面を走査している。